(57)【要約】【課題】レンジフードにより室外に排気されることなく室内の天井付近に滞留してしまう臭気を含む室内空気を速やかに脱臭することができるレンジフードを提供することを目的とする。【解決手段】レンジフードＡ１の排気用吸引口２２よりも上方であって、室内の天井に近接するフード本体部１０の外周面に脱臭用吸引口３２を設ける。脱臭用ファン３４を起動させると、天井付近に滞留している室内空気が脱臭用吸引口３２より吸引される。吸引された室内空気は、脱臭装置３８にて脱臭されて再び吹出口３６より室内に放出される。【選択図】　図５
2004028445.tif 000002
【特許請求の範囲】
【請求項１】
室内空気を室外に排出するためのレンジフードであって、
室内空気を取り込むための排気用吸引口と、同排気用吸引口から取り込んだ空気を室外に排出するための排気口と、前記排気用吸引口と同排気口とを結ぶ吸排気経路と、同吸排気経路に設けられた排気用ファンと、を有する排気手段と、室内空気を脱臭して循環させる脱臭手段と、を有することを特徴とするレンジフード。
【請求項２】
上記脱臭手段が、室内空気を取り込むための脱臭用吸引口と、同脱臭用吸引口から取り込んだ空気を再び室内に戻す吹出口と、前記脱臭用吸引口と同吹出口とを結ぶ循環経路と、同循環経路に設けられた脱臭用ファンと、脱臭装置と、を有することを特徴とする請求項１に記載のレンジフード。
【請求項３】
上記排気手段の吸排気経路と上記脱臭手段の循環経路とが、それぞれ独立していることを特徴とする請求項２に記載のレンジフード。
【請求項４】
上記脱臭用吸引口が、上記排気用吸引口よりも天井に近い位置に設けられていることを特徴とする請求項２又は請求項３のいずれかに記載のレンジフード。
【請求項５】
上記脱臭用吸引口が、上記排気用吸引口の外周部に設けられ、かつ、前記脱臭用吸引口より取り込んだ室内空気を上記脱臭装置まで誘導するための誘導手段が設けられていることを特徴とする請求項２〜請求項４のいずれかに記載のレンジフード。
【請求項６】
上記脱臭装置が、上記脱臭用吸引口を被覆する位置に設けられていることを特徴とする請求項２〜請求項５のいずれかに記載のレンジフード。
【請求項７】
上記レンジフードが、上記排気用ファン又は上記脱臭用ファンのいずれかを起動及び停止するかまたは同排気用ファン及び同脱臭用ファンを互いに連動させて起動及び停止するための制御手段を有していることを特徴とする請求項２〜請求項６のいずれかに記載のレンジフード。
【請求項８】
上記制御手段が、上記排気用ファンと、上記脱臭用ファンとを同時もしくはいずれか一方を一定時間遅延させて起動し、かつ、同排気用ファンと、同脱臭用ファンとを同時もしくはいずれか一方を一定時間遅延させて停止させる制御を行うことを特徴とする請求項７に記載のレンジフード。
【発明の詳細な説明】
【０００１】
【発明の属する技術分野】
本発明は、レンジフードに関し、特に、加熱調理器具周辺の室内空気を室外へ排出するためのレンジフードに関する。
【０００２】
【従来の技術】
従来、この種のレンジフードは、加熱調理器具の上方に設けられ、調理等により発生した煙や臭気を含む室内空気を吸引して屋外へ排出する。
【０００３】
【発明が解決しようとする課題】
しかしながら、臭気を含む室内空気は拡散し易いため、上述した従来のレンジフードにおいては、臭気を含む室内空気を屋外に十分に排出しきれず、その内の一部が、室内に滞留してしまう場合がある。特に、排出しきれなかった臭気を含む室内空気は、加熱調理器具の熱によって上昇し、レンジフードの排気用の吸引口を越えて天井付近に滞留して室内に臭気が残ってしまうことが多い。
【０００４】
本発明は、上記の課題に鑑みてなされたものであって、レンジフードにより室外に排気されることなく室内の天井付近に滞留してしまう臭気を含む室内空気を速やかに脱臭することができるレンジフードを提供することを目的とする。
【０００５】
【課題を解決するための手段】
上記目的を達成するため、請求項１にかかる発明は、室内空気を室外に排出するためのレンジフードであって、室内空気を取り込むための排気用吸引口と、同排気用吸引口から取り込んだ空気を室外に排出するための排気口と、前記排気用吸引口と同排気口とを結ぶ吸排気経路と、同吸排気経路に設けられた排気用ファンと、を有する排気手段と、室内空気を脱臭して循環させる脱臭手段と、を有する構成としてある。
上記のように構成した請求項１にかかる発明においては、排気手段を有するレンジフードに脱臭手段を配設する。このレンジフードは、調理等により発生した煙や臭気を含む室内空気を排気手段により室外へ排出する。この時、室外へ排出されずに室内に滞留している室内空気は、脱臭手段によって取り込まれ、それに含まれる臭気が脱臭された後、再び室内へ放出される。これにより、室内に滞留している臭気を含む室内空気を速やかに脱臭することができる。
【０００６】
また、請求項２にかかる発明は、請求項１に記載のレンジフードにおいて、上記脱臭手段が、室内空気を取り込むための脱臭用吸引口と、同脱臭用吸引口から取り込んだ空気を再び室内に戻す吹出口と、前記脱臭用吸引口と同吹出口とを結ぶ循環経路と、同循環経路に設けられた脱臭用ファンと、脱臭装置と、を有する構成としてある。
上記のように構成した請求項２にかかる発明においては、室内に滞留している臭気を含む室内空気を速やかに脱臭することができる。
【０００７】
さらに、請求項３にかかる発明は、請求項２に記載のレンジフードにおいて、上記排気手段の吸排気経路と上記脱臭手段の循環経路とが、それぞれ独立している構成としてある。
上記のように構成した請求項３にかかる発明においては、排気手段の吸排気経路と、脱臭手段の循環経路とが互いに交わらないように配設する。すなわち、排気用吸引口から排気口までの経路を通過する室内空気と、脱臭用吸引口から吹出口までの経路を通過する室内空気とが混合しないように形成されている。これにより、脱臭すべき室内空気のみを効率的に脱臭することができる。
【０００８】
さらに、請求項４にかかる発明は、請求項２〜請求項３のいずれかに記載のレンジフードにおいて、上記脱臭用吸引口が、上記排気用吸引口よりも天井に近い位置に設けられている構成としてある。
上記のように構成した請求項４にかかる発明においては、排気用吸引口に吸引されることなく上昇して天井付近に滞留している室内空気を重点的に吸引することができる。
【０００９】
さらに、請求項５にかかる発明は、請求項２〜請求項４のいずれかに記載のレンジフードにおいて、上記脱臭用吸引口が、上記排気用吸引口の外周部に設けられ、かつ、前記脱臭用吸引口より取り込んだ室内空気を上記脱臭装置まで誘導するための誘導手段が設けられている構成としてある。
上記のように構成した請求項５にかかる発明においては、脱臭用吸引口を排気用吸引口の外周部に設ける。そして、脱臭用吸引口より吸引した室内空気を脱臭装置に誘導するための誘導手段をレンジフードの内面に沿って配設する。これにより、排気用吸引口に吸引されずに周囲から漏れようとする室内空気を脱臭用吸引口から取り込み、効率的に脱臭することができる。
【００１０】
さらに、請求項６にかかる発明は、請求項２〜請求項５のいずれかに記載のレンジフードにおいて、上記脱臭装置が、上記脱臭用吸引口を被覆する位置に設けられている構成としてある。
上記のように構成した請求項６にかかる発明においては、脱臭手段内が汚損されることを防止することができるとともに、脱臭装置の交換を速やかに行うことができる。
【００１１】
さらに、請求項７にかかる発明は、請求項２〜請求項６のいずれかに記載のレンジフードにおいて、上記レンジフードが、上記排気用ファン又は上記脱臭用ファンのいずれかを起動及び停止するかまたは同排気用ファン及び同脱臭用ファンを互いに連動させて起動及び停止するための制御手段を有している構成としてある。
上記のように構成した請求項７にかかる発明においては、排気運転及び脱臭運転を同時もしくはいずれか一方だけを運転するというように目的に応じて運転させることができる。
【００１２】
さらに、請求項８にかかる発明は、請求項７に記載のレンジフードにおいて、上記制御手段が、上記排気用ファンと、上記脱臭用ファンとを同時もしくはいずれか一方を一定時間遅延させて起動し、かつ、同排気用ファンと、同脱臭用ファンとを同時もしくはいずれか一方を一定時間遅延させて停止させる制御を行う構成としてある。
上記のように構成した請求項８にかかる発明においては、調理開始時には、排気用ファンと脱臭用ファンと同時に起動し、調理の終了後には、排気用ファンのみを停止して、脱臭用ファンの運転を一定時間延長して脱臭させるといった運転を行うことができるので、排気運転と脱臭運転とをより緻密に制御することができる。特に、排気運転の終了後であっても、脱臭運転を延長させることができるので、時間差をもって天井付近に上昇してきた臭気を含む室内空気を脱臭することができる。
【００１３】
【発明の効果】
以上説明したように本発明は、室内に残留している臭気を含む室内空気を速やかに脱臭することが可能なレンジフードを提供することができる。
また、請求項２にかかる発明によれば、室内に残留している臭気を含む室内空気を速やかに脱臭することができる。
さらに、請求項３にかかる発明によれば、脱臭すべき室内空気のみを効率的に脱臭することができる。
さらに、請求項４にかかる発明によれば、室内に滞留している臭気を含む室内空気を速やかに脱臭することができる。
さらに、請求項５にかかる発明によれば、排気用吸引口に吸引されずに周囲から漏れた室内空気が天井に到達して滞留する前に脱臭することができる。
さらに、請求項６にかかる発明によれば、脱臭手段内が汚損されることを防止することができるとともに、脱臭装置の交換を速やかに行うことができる。
さらに、請求項７にかかる発明によれば、排気運転及び脱臭運転を同時もしくはいずれか一方だけを運転するというように目的に応じて運転させることができる。
さらに、請求項８にかかる発明によれば、排気運転と脱臭運転とをより緻密に制御することができる。特に、排気運転の終了後であっても、脱臭運転を延長させることができるので、時間差をもって天井付近に上昇してきた臭気を含む室内空気を脱臭することができる。
【００１４】
【発明の実施の形態】
ここでは、下記の順序に従って本発明の実施形態を説明する。
（１）レンジフードの概要：
（２）レンジフードの説明：
（３）レンジフードの変形例：
【００１５】
（１）レンジフードの概要：
本発明に基づく第１実施例としてのレンジフードＡ１の概要について、図面を利用して説明する。
図１は、本発明にかかるレンジフードＡ１の概略的な構成を示す全体斜視図である。
同図において、レンジフードＡ１は、ステンレススチール材にて形成されたフード本体部１０に、排気部２０と、脱臭部３０と、制御部４０とを所定位置に配設することにより形成されている。ここで、排気部２０、脱臭部３０、制御部４０は、それぞれ本発明にいう排気手段、脱臭手段、制御手段に該当する。
【００１６】
（２）レンジフードの説明：
ここで、レンジフードＡ１の構成についてさらに詳しく説明すると、フード本体部１０は、ステンレススチール製の複数の板部材を互いに隙間なく連接することにより略箱状に形成されている。具体的には、図１に示すように、底面側が全体的に開口し、側面側が上方に行くにつれて傾斜する面を含む四面を有し、上面側が密閉された形状に形成されている。なお、このフード本体部１０は、他の金属材等の異なる材質にて形成されていてもよい。
排気部２０及び脱臭部３０及び制御部４０は、その構成の大部分をフード本体部１０の内部に収納された状態で配設されている。そこで、レンジフードＡ１の内部の構造について説明する。
【００１７】
図２は、フード本体部１０の内部構造をＸ−Ｘ方向（図１参照）より視認した断面図である。
同図において、フード本体部１０の内部には、排気部２０と、脱臭部３０と、制御部４０とがそれぞれ所定の位置に配設されている。
ここで、各構成について詳しく説明すると、排気部２０は、排気用吸引口２２と、排気用ファン２４と、排気用ファンモータ２４ａと、排気口２６とから形成されている。排気用吸引口２２は、フード本体部１０の底面に形成された開口部分である。排気用ファン２４は、フード本体部１０の背面側、すなわち、本実施例に用いられているフード本体部１０において垂直に配設された側面部に配設されている。また、この排気用ファン２４は、排気用ファンモータ２４ａと連結されており、これを駆動することによって回転可能に設けられている。排気口２６は、排気用ファン２４の配設されている面に設けられている。
【００１８】
脱臭部３０は、フード本体部１０の上端付近に設けられており、脱臭用吸引口３２と、脱臭用ファン３４と、脱臭用ファンモータ３４ａと、吹出口３６と、脱臭装置３８とを有している。脱臭用吸引口３２と吹出口３６とは、フード本体部１０の前面側であって、室内の天井に近接する所定位置に開口するように設けられている。脱臭用ファン３４は、シロッコファン等の遠心ファンもしくはクロスフローファン等により形成されている。また、この脱臭用ファン３４は、脱臭用ファンモータ３４ａと連結されており、これを駆動することによって回転可能に設けられている。脱臭装置３８は、パネル形状を呈する脱臭フィルタにて形成されている。この脱臭フィルタは、多層式の濾過フィルタを有しており、臭気を含む室内空気を脱臭する機能を有している。この脱臭装置３８は、脱臭用吸引口３２及び吹出口３６の外周側を被覆するようにして着脱自在に設けられている。
【００１９】
制御部４０は、図２に示すように、略箱状に形成されてフード本体部１０の前面側の突端に設けられた操作スイッチと、制御ボックスとして所定位置に設置されたＣＰＵ４４及びタイマ４６等から構成されている。なお、この制御部４０と、排気用ファンモータ２４ａ及び脱臭用ファンモータ３４ａ（図３参照）とは、所定の配電線により電気的に連結されているが、図面での説明は省略することとする。
【００２０】
操作スイッチ４２は、レンジフードＡ１の有する排気用ファン２４及び脱臭用ファン３４等の起動及び停止をＣＰＵ４４に指示するために設けられている。ここで、本実施例における操作スイッチ４２の構成の一例を示すと、操作スイッチ４２は、図１に示すように、排気単独スイッチ４２ａと、連動スイッチ４２ｂと、脱臭単独スイッチ４２ｃと、ランプスイッチ４２ｄとを有している。
【００２１】
排気単独スイッチ４２ａは、排気用ファン２４を単独で起動及び停止させるためのスイッチである。連動スイッチ４２ｂは、排気用ファン２４と脱臭用ファン３４とを連動して起動及び停止させるためのスイッチである。脱臭単独スイッチ４２ｃは、脱臭用ファン３４を単独で起動及び停止するためのスイッチである。また、ランプスイッチ４２ｄは、フード本体部１０の所定位置に設けられたランプ（図示省略）を点灯するためのスイッチである。このランプは、調理時の照明として配設されている。
【００２２】
ＣＰＵ４４は、操作スイッチ４２の操作状況を認識し、それに基づく処理を行うことで排気用ファンモータ２４ａ及び脱臭用ファンモータ３４ａを起動及び停止させる。また、タイマ４６は、ＣＰＵ４４の要求に応じて一定時間の計測情報をＣＰＵ４４に提供するために設けられている。
【００２３】
図３は、レンジフードＡ１の制御回路の一例を示す回路図である。
同図において、レンジフードＡ１の有する制御部４０は、ＣＰＵ４４により排気用ファンモータ２４ａと脱臭用ファンモータ３４ａとを連動制御している。すなわち、操作スイッチ４２のいずれかのボタンを押すと、ＣＰＵ４４がどのボタンを押したかを感知し、それに基づく制御を行う。例えば、排気単独スイッチ４２ａを押した場合、ＣＰＵ４４は、排気用ファンモータ２４ａのみを起動させる。
【００２４】
ここで、ＣＰＵ４４は、排気部２０と脱臭部３０とが連動運転するように設定されている。すなわち、連動スイッチ４２ｂを押して排気用ファン２４を起動すると同時に、脱臭用ファン３４を起動させ、排気用ファン２４の停止後、一定時間経過後に脱臭用ファン３４を停止させるように設定されている。
そこで、次に、ＣＰＵ４４による脱臭用ファン３４の遅延制御の一例について以下説明する。
【００２５】
図４は、レンジフードＡ１において排気運転にともなって、脱臭運転を一定の時間延長させる制御を示すフローチャートである。
同図において、まず、ＣＰＵ４４は、連動スイッチ４２ｂが押されてＯＮしたかどうかを判定する（ステップＳ１０）。ここで、ＣＰＵ４４は、連動スイッチ４２ｂが押されたと判断すると、排気用ファンモータ２４ａと脱臭用ファンモータ３４ａとが連動して起動される（ステップＳ１１）。次に、ＣＰＵ４４は、連動スイッチ４２ｂが再び押されてＯＦＦしたかどうかを判定する（ステップＳ１２）。ここで、ＣＰＵ４４は、連動スイッチ４２ｂが押されてＯＦＦしたと判断すると、排気用ファンモータ２４ａのみを停止する（ステップＳ１３）。これと同時に、ＣＰＵ４４は、タイマ４６にカウントを開始させる（ステップＳ１４）。ＣＰＵ４４は、タイマのカウント情報を読み込んで、一定時間経過したと判断する（ステップＳ１５）と、脱臭用ファンモータ３４ａを停止させる（ステップＳ１６）。
【００２６】
図５は、レンジフードＡ１の使用状態を示す使用状態図である。
同図において、レンジフードＡ１を使用することによる周辺の室内空気の流れを説明する。まず、加熱調理器具Ｒを稼働させて調理を開始する。すると、加熱調理器具Ｒからの燃焼ガスや料理からの油煙や臭気等を含む室内空気が発生する。ここで、排気用ファン２４と脱臭用ファン３４とを同時に起動する。室内空気は、加熱調理器具Ｒの熱等により、矢印１に示すように、レンジフードＡ１方向へ上昇する。ここで、矢印１に示す室内空気の大部分は、排気用吸引口２２に吸引された後、排気口２６を通過して矢印２に示すように室外へ放出される。この時、排気用吸引口２２に吸引されずに室内に漏れてしまった室内空気は、矢印３に示すように、フード本体部１０に沿って上昇したり、そのまま上方へ上昇して天井付近に滞留してしまうが、この室内空気は、矢印４に示すように、脱臭用吸引口３２より吸引されて、脱臭用ファン３４及び吹出口３６及び脱臭装置３８を通過して脱臭された後、矢印５に示すように、再び室内へ放出される。
【００２７】
（３）レンジフードの変形例：
次に、レンジフードＡ１の変形例としてのレンジフードＡ２について図面を利用して説明する。
図６は、レンジフードＡ２の概略的な構成を示す全体斜視図である。
同図において、フード本体部１０の底面側における外周のうち、室内の壁面と接する面以外の３方向の面には、脱臭用吸引口１３２が設けられている。この脱臭用吸引口１３２は、図７に示すように、フード本体部１０の外郭部１２の内側に外郭部１２とは所定の間隔を余すようにして内郭部１４が形成されている。これにより、外郭部１２と、内郭部１４との間には、脱臭用吸引口１３２より吸引した室内空気を脱臭用ファン３４へ誘導するための誘導経路１６が形成されている。なお、脱臭用吸引口１３２とともに、第１の実施例と同様の位置に脱臭用吸引口を設けるようにしてもよい。
【００２８】
ここで、脱臭用吸引口１３２の外周端を被覆するように脱臭装置１３８が設けられていてもよい。この脱臭装置１３８は、脱臭装置３８と同様に多層式の濾過フィルタを有しており、脱臭用吸引口１３２に配設可能とする外形形状に形成されている。また、この脱臭装置１３８は、フード本体部１０から着脱自在に設けられているので、汚れて交換が必要な場合であっても、使用者が容易に手が届き、速やかに着脱交換することができる。
【００２９】
図７は、レンジフードＡ２の使用状態を示す使用状態図である。
同図において、レンジフードＡ２を使用することによる周辺の室内空気の流れを説明する。まず、加熱調理器具Ｒを稼働させて調理を開始する。すると、加熱調理器具Ｒからの燃焼ガスや料理からの油煙や臭気等を含む室内空気が発生する。ここで、排気用ファン２４と脱臭用ファン３４とを同時に起動する。室内空気は、熱気で矢印１に示すようにレンジフードＡ２方向へ上昇する。矢印１に示す室内空気の大部分は、排気用吸引口２２に吸引された後、排気口２６を通過して矢印２に示すように室外へ放出される。この時、排気用吸引口２２に吸引されなかった室内空気は、矢印３′に示すように、脱臭用吸引口１３２に吸引されて、誘導経路１６を通過していき、やがて、矢印４′に示すように、脱臭用ファン３４まで到達する。そして、この室内空気は、脱臭用ファン３４及び吹出口３６及び脱臭装置３８を通過して脱臭された後、矢印５′に示すように、再び室内へ放出される。
【図面の簡単な説明】
【図１】本発明にかかるレンジフードの構成を示す図であって、下方より視認した斜視図である。
【図２】本発明にかかるレンジフードの内部構造を示す図であって、Ｘ−Ｘ（図１参照）より視認した断面図である。
【図３】本発明にかかるレンジフードの制御回路を示す回路図である。
【図４】本発明にかかるレンジフードの制御部が行う処理を示すフローチャートである。
【図５】本発明にかかるレンジフードの使用状態を示す使用状態図である。
【図６】本発明にかかるレンジフードの変形例を示す図であって、下方より視認した斜視図である。
【図７】本発明にかかるレンジフードの変形例の使用状態を示す使用状態図である。
【符号の説明】
Ａ１、Ａ２…レンジフード
１０…フード本体部
１６…誘導経路（誘導手段）
２０…排気部（排気手段）
２２…排気用吸引口
２４…排気用ファン
２６…排気口
３０…脱臭部（脱臭手段）
３２、１３２…脱臭用吸引口
３４…脱臭用ファン
３６…吹出口
３８、１３８…脱臭装置
４０…制御部（制御手段）
４２…操作スイッチ
４４…ＣＰＵ
４６…タイマ
【図１】
2004028445.tif 000003
【図２】
2004028445.tif 000004
【図３】
2004028445.tif 000005
【図４】
2004028445.tif 000006
【図５】
2004028445.tif 000007
【図６】
2004028445.tif 000008
【図７】
2004028445.tif 000009